(57)【要約】【課題】カメラを有するカメラ付き情報端末において、簡単な構成で、フレキシブル基板上に貼り付けられたカメラであっても、容易にカメラ装着用孔に嵌め込むようにする。【解決手段】カメラ２３を配置するためのカメラ装着用孔３１を有するマグネシウムフレーム３０と、マグネシウムフレーム３０に嵌め込まれると共に、カメラ２３に電気信号を送信するためのコネクタ２２を搭載した回路基板２１と、コネクタ２２からの電気信号をカメラ２３に伝達するフレキシブル基板２４とを設ける。回路基板２１にカメラ装着用孔３１にカメラ２３を嵌合するのを補助する嵌合補助手段を装着する。具体的には、嵌合補助手段は、フレキシブル基板２４の延長部２４ａとする。【選択図】図４
2008072635.tif 000002
【特許請求の範囲】
【請求項１】
カメラを有するカメラ付き情報端末において、
上記カメラを配置するためのカメラ装着用孔を有するフレームと、
上記フレームに嵌め込まれると共に、上記カメラに電気信号を送信するためのコネクタを搭載した回路基板と、
上記コネクタからの電気信号をカメラに伝達するフレキシブル基板とを備え、
上記カメラは、上記フレキシブル基板上に貼り付けられ、
上記フレキシブル基板には、上記カメラ装着用孔にカメラを嵌合するのを補助する嵌合補助手段が設けられている
ことを特徴とするカメラ付き情報端末。
【請求項２】
請求項１に記載のカメラ付き情報端末において、
上記嵌合補助手段は、カメラを上記回路基板に仮固定させる弾性部材である
ことを特徴とするカメラ付き情報端末。
【請求項３】
請求項２に記載のカメラ付き情報端末において、
上記フレキシブル基板は、弾性を有し、
上記弾性部材は、上記コネクタからカメラまで伸びる上記フレキシブル基板を更に延長した延長部よりなり、
上記延長部の先端と上記回路基板とが接着固定されている
ことを特徴とするカメラ付き情報端末。
【請求項４】
請求項３に記載のカメラ付き情報端末において、
上記延長部の先端は、上記回路基板に印刷された目印位置に接着固定されている
ことを特徴とするカメラ付き情報端末。
【請求項５】
請求項２に記載のカメラ付き情報端末において、
上記弾性部材は、上記カメラを取り付けたフレキシブル基板の裏側に貼り付けた弾性を有するクッションである
ことを特徴とするカメラ付き情報端末。
【請求項６】
請求項５に記載のカメラ付き情報端末において、
上記クッションは、上記回路基板に印刷された目印位置に接着固定されている
ことを特徴とするカメラ付き情報端末。
【請求項７】
請求項４又は６に記載のカメラ付き情報端末において、
上記目印位置は、上記回路基板における上記コネクタと反対側面に印刷され、
上記カメラは、上記回路基板における目印位置と同じ面に配置されている
ことを特徴とするカメラ付き情報端末。
【請求項８】
請求項１乃至７のいずれか１つに記載のカメラ付き情報端末において、
携帯電話機である
ことを特徴とするカメラ付き情報端末。
【発明の詳細な説明】
【技術分野】
【０００１】
携帯電話機などのカメラを有するカメラ付き情報端末に関し、特にそのカメラの取付構造に関する。
【背景技術】
【０００２】
カメラ付き情報端末として代表的にあげられる携帯電話機は、現在、そのほとんどがカメラを搭載している。カメラを搭載するのは今や一般的で、更に多くの機能を搭載する要望があり、内部の部品数の増加や、基板の形状の拡大化が進んでいる。一方、携帯性の面から、製品の外形は小さくかつ軽いものとしたいという相反する期待がある。このため、情報端末に設けるカメラ自体も小型化してきている。
【０００３】
従来より、携帯電話機などでは、カメラは基板上に挿入され、キャビネットに設けられたカメラ窓からレンズ部分を覗かせていた。
【０００４】
例えば、特許文献１では、第１筐体用基板に、主要部品として、カメラ、背面液晶、ＳＤメカユニットを搭載すると共に、ＳＤメカユニットは、第１の筐体と第２の筐体を電気的に接続するフレキシブル基板が長くならないよう第２筐体用基板の近傍に配置している。
【０００５】
一方、上述したように多くの機能を搭載するためや、カメラの配置の関係から、回路基板上に直接カメラを載置できない場合がある。このような場合、フレキシブル基板を利用して回路基板にカメラを設けることが行われている。
【０００６】
更に、カメラが小型化した場合には、このカメラをフレキシブル基板上に貼り付ける場合がある。
【０００７】
例えば、特許文献２では、携帯端末本体にカメラユニットを回動可能に搭載した携帯端末装置において、カメラユニットは、回転体と、回転体内に収容された撮像部と、撮像部に接続され、かつ回転体外へ延設されたフレキシブル基板とを有し、撮像部近傍のフレキシブル基板上に撮像部制御部品を配設している。
【特許文献１】特開２００４−８８５１２号公報
【特許文献２】特開２００４−２９７６６０号公報
【発明の開示】
【発明が解決しようとする課題】
【０００８】
ここで、特許文献１においては、剛性の高い回路基板上にカメラを直接載置しているので、カメラの位置ズレは少なく、フレームのカメラ装着用孔にカメラを嵌合するのは容易である。
【０００９】
一方、フレキシブル基板は、通常弾性を有するので、カメラの設置位置が不安定となり、この不安定なフレキシブル基板に設けたカメラをフレームのカメラ装着用孔に正確に挿入することが困難になる場合がある。
【００１０】
特許文献２においては、カメラはフレキシブル基板上に配置されているが、回転体のカメラ装着用孔を見ながら、そのカメラ装着用孔にカメラを嵌め込めばよいため、組立てにおいて困難性はない。
【００１１】
しかしながら、カメラが回路基板の裏側に配置されるような場合等、カメラ装着用孔を見ながら、そのカメラ装着用孔にカメラを嵌め込めない場合には、フレキシブル基板上のカメラがぐらつき、組立て作業が極めて困難になるという問題がある。
【００１２】
本発明は、かかる点に鑑みてなされたものであり、その目的とするところは、簡単な構成で、フレキシブル基板上に貼り付けられたカメラであっても、容易にカメラ装着用孔に嵌め込むようにすることにある。
【課題を解決するための手段】
【００１３】
上記目的を達成するために第１の発明では、カメラを有するカメラ付き情報端末を前提とし、
上記カメラ付き情報端末は、
上記カメラを配置するためのカメラ装着用孔を有するフレームと、
上記フレームに嵌め込まれると共に、上記カメラに電気信号を送信するためのコネクタを搭載した回路基板と、
上記コネクタからの電気信号をカメラに伝達するフレキシブル基板とを備え、
上記フレキシブル基板には、上記カメラ装着用孔にカメラを嵌合するのを補助する嵌合補助手段が設けられている。
【００１４】
上記の構成によると、カメラがフレキシブル基板上に貼り付けられているために不安定となり、カメラの設置位置が多少ずれていても、フレキシブル基板に設けた嵌合補助手段により、カメラ装着用孔に嵌合しやすくなる。
【００１５】
第２の発明では、上記嵌合補助手段は、カメラを上記回路基板に仮固定させる弾性部材である。
【００１６】
上記の構成によると、カメラの設置位置が多少ずれていても、弾性部材の弾性力により、回路基板に仮固定されたカメラが適度に動いてカメラ装着用孔に嵌合しやすくなる。
【００１７】
第３の発明では、上記フレキシブル基板は、弾性を有し、
上記弾性部材は、上記コネクタからカメラまで伸びる上記フレキシブル基板を更に延長した延長部よりなり、
上記延長部の先端と上記回路基板とが接着固定されている。
【００１８】
上記の構成によると、コネクタからカメラまで伸びるフレキシブル基板を更に延長した延長部が弾性を有し、その延長部が回路基板に接着されているので、フレキシブル基板上に載置されたカメラが適度に動いてカメラ装着用孔に嵌合しやすくなる。
【００１９】
第４の発明では、上記延長部の先端は、上記回路基板に印刷された目印位置に接着固定されている。
【００２０】
上記の構成によると、延長部の先端が目印位置に確実に接着されるので、カメラの設置位置のズレが減少し、更にカメラ装着用孔に嵌合しやすくなる。
【００２１】
第５の発明では、上記弾性部材は、上記カメラを取り付けたフレキシブル基板の裏側に貼り付けた弾性を有するクッションである。
【００２２】
上記の構成によると、弾性を有するクッションに支持されて、回路基板に仮固定されたカメラが適度に動くので、カメラ装着用孔に嵌合しやすくなる。
【００２３】
第６の発明では、上記クッションは、上記回路基板に印刷された目印位置に接着固定されている。
【００２４】
上記の構成によると、クッションが目印位置に確実に接着されるので、カメラの設置位置のズレが減少し、更にカメラ装着用孔に嵌合しやすくなる。
【００２５】
第７の発明では、上記目印位置は、上記回路基板における上記コネクタと反対側面に印刷され、
上記カメラは、上記回路基板における目印位置と同じ面に配置されている。
【００２６】
上記の構成によると、カメラは、回路基板のコネクタ等が配置される面と反対側面に配置されるので、回路基板にフレキシブル基板を接着後、回路基板をフレームに嵌め込む際に、フレームのカメラ装着用孔を見ながらカメラを嵌め込むことができないが、嵌合補助手段により、嵌め込み作業が極めて容易となる。
【００２７】
第８の発明では、情報端末は、携帯電話機とする。
【００２８】
上記の構成によると、携帯電話機は、多機能化が進み、カメラが設けられるスペースが限られることにより、カメラの小型化が進んでいるため、フレキシブル基板上のカメラがぐらつきやすいが、嵌合補助手段により、嵌め込み作業が極めて容易となる。
【発明の効果】
【００２９】
以上説明したように、本発明では、回路基板に装着した嵌合補助手段により、カメラ装着用孔にカメラを嵌合するのを補助するようにした。このため、カメラがフレキシブル基板上に貼り付けられているために、その設置位置が多少ずれていても、簡単な構成により、カメラをフレームのカメラ装着用孔に極めて容易に嵌合することができる。
【発明を実施するための最良の形態】
【００３０】
以下、本発明の実施形態を図面に基づいて説明する。
【００３１】
（実施形態１）
−携帯電話機の構成−
図１乃至図３は、本発明の実施形態１のカメラ付き情報端末としての携帯電話機１を示す。この携帯電話機１は、第１表示部５、受話部６等を有する第１の筐体２と、送話部７機能ボタン８、入力ボタン９等を有する第２の筐体３とがヒンジ部４にて折畳み自在に結合され、Ｘ軸を中心にして開閉するようになっている。
【００３２】
第１の筐体２は、ヒンジ部４に対し、Ｙ軸を中心にＸ軸とは直交して回転するようになっている。第１の筐体２を閉じたときの表面に第２表示部１０を有し、時計表示がなされ、着信があったときには、送信者の名前などを表示される。
【００３３】
第２の筐体３は、裏面側にカメラ２３を有し、その下には光源（図示せず）を被う光源カバー１２が設けられている。
【００３４】
図示していないが、携帯電話機１を閉じたときに第１表示部５が表面にくるようにすることもできる。カメラ２３を使用時には、この状態で撮影対象を第１表示部５に表示しながら、好みのアングルで撮影ができる。
【００３５】
図４は、第２の筐体３のカメラ部分の分解斜視図である。図４において、上側に回路基板２１の基板組品２０を示す。回路基板２１には各種回路部品、コネクタ２２等が搭載され、このコネクタ２２からフレキシブル基板２４が伸びている。フレキシブル基板２４は、適度な弾性を有し、その表面には、小型で軽量なカメラ２３が貼り付けられている。フレキシブル基板２４は、カメラ２３が載置される部分よりも、先端に伸び、弾性部材としての延長部２４ａが形成されている。延長部２４ａの先端は、細くなってその最先端に接着剤２５が塗布されるようになっている。延長部２４ａがカメラ装着用孔３１にカメラ２３を嵌合するのを補助する嵌合補助手段を構成し、この延長部２４ａにより、カメラ２３を回路基板２１に仮固定させるようになっている。上記基板組品２０がマグネシウムフレーム３０に嵌め込まれるようになっている。このマグネシウムフレーム３０の上側には、略円形のカメラ装着用孔３１が設けられている。
【００３６】
上記基板組品２０は、マグネシウムフレーム３０に結合された状態で、第２の筐体３の裏側を被う裏側キャビネット３ａに嵌め込んで組立てられるようになっている。
【００３７】
図４において、カメラ２３の取付位置は回路基板２１の下側（コネクタ２２と反対側）になっている。このため、回路基板組品２０をマグネシウムフレーム３０に挿入するときには、カメラ装着用孔３１が見えない状態になっている。
【００３８】
図８に示すように、回路基板２１のコネクタ２２と反対側の面には、目印位置としてのコ字状の印刷部２７が印刷されている。
【００３９】
−カメラの組付方法−
次に本実施形態におけるカメラ２３の組付方法について説明する。
【００４０】
図５及び図６に、カメラ２３周辺の構成部品を示す。まず、回路基板２１の上面側に設けられたコネクタ２２にフレキシブル基板２４の一端を結合する。ここで、予めフレキシブル基板２４の他端の延長部２４ａの先端に、回路基板２１にカメラ２３を仮固定するための接着剤２５を施しておく。カメラ２３は、フレキシブル基板２４の表面側の中間に貼り付けておく。
【００４１】
次いで、図７に示すように、フレキシブル基板２４の延長部２４ａ側を折り曲げ、接着剤２５の部分を回路基板２１に接着する。このときカメラ２３は、回路基板２１の下になり上からは見えない状態になっている。
【００４２】
図８は、図７の背面図である。延長部２４ａの先端は、上記回路基板２１の印刷部２７に合わせて接着される。これによってカメラ２３の位置がおよそ安定した位置に仮固定される。
【００４３】
このようにフレキシブル基板２４の先端が接着されることにより、カメラ２３の位置は弾性的に移動可能な状態にある。この状態にある回路基板組品２０をマグネシウムフレーム３０に組み込むときにカメラ２３の位置が見えなくても、およそカメラ装着用孔３１に入れば、フレキシブル基板２４は弾性を有するので、カメラ２３位置が弾性的に移動して嵌合される。
【００４４】
−実施形態１の効果−
したがって、本実施形態にかかる携帯電話機１によると、フレキシブル基板２４の延長部２４ａにより、カメラ装着用孔３１にカメラ２３を嵌合するのを補助するようにした。このため、カメラ２３がフレキシブル基板２４上に貼り付けられているために、その設置位置が多少ずれていても、簡単な構成により、カメラ２３をマグネシウムフレーム３０のカメラ装着用孔３１に極めて容易に嵌合することができる。
【００４５】
（実施形態２）
図９は本発明の実施形態２を示し、弾性部材の構成が異なる点で上記実施形態１と異なる。なお、本実施形態では、図１乃至図８と同じ部分については同じ符号を付してその詳細な説明は省略する。
【００４６】
図９は、本実施形態２にかかるカメラ部及びその周辺の構成部品を示す斜視図である。図１０は、図９の側面図を示す。本実施形態にかかるフレキシブル基板２４には、実施形態１のような延長部２４ａは設けられていない。フレキシブル基板２４のカメラ２３が配置される部分の裏面側には、弾性を有するスポンジ２６（弾性部材）が貼り付けられている。スポンジ２６は、例えば、発泡ウレタンよりなり、その裏側には、接着剤又は両面テープ（図示せず）が塗布されている。
【００４７】
図１２に示すように、回路基板２１のコネクタ２２と反対側の面には、目印位置としてのコ字状の印刷部２７が印刷されている。
【００４８】
−カメラの組付方法−
図１１に示すように、図１０の状態から、フレキシブル基板２４の先端側を折り曲げ、スポンジ２６の裏面側を回路基板２１に接着する。スポンジ２６は、図１２に示すように、上記印刷部２７に合わせて接着される。
【００４９】
このように接着することで、カメラ２３の位置がおよそ安定した位置に仮固定され、スポンジ２６は、上下、左右、前後に弾性的に移動可能な状態にある。
【００５０】
この状態にある回路基板組品２０をマグネシウムフレーム３０に組み込むとき、カメラ２３の位置が見えなくてもおよそカメラ装着用孔３１に入れば、スポンジ２６は弾性を有するので、カメラ２３位置が弾性的に移動して嵌合される。
【００５１】
−実施形態２の効果−
したがって、本実施形態にかかる携帯電話機１によると、フレキシブル基板２４に貼り付けたスポンジ２６により、カメラ装着用孔３１にカメラ２３を嵌合するのを補助するようにした。このため、カメラ２３がフレキシブル基板２４上に貼り付けられているために、その設置位置が多少ずれていても、簡単な構成により、カメラ２３をマグネシウムフレーム３０のカメラ装着用孔３１に極めて容易に嵌合することができる。
【００５２】
（その他の実施形態）
本発明は、上記各実施形態について、以下のような構成としてもよい。
【００５３】
すなわち、上記各実施形態では、回路基板２１をマグネシウムフレーム３０に結合させた状態で裏側キャビネット３ａに嵌め込んだが、回路基板２１をそのまま裏側キャビネット３ａに嵌め込んでもよい。この場合には、裏側キャビネット３ａがフレームを構成し、カメラ装着用孔３１は、裏側キャビネット３ａに設ければよい。
【００５４】
上記実施形態では、カメラ付き情報端末は、携帯電話機１としたが、カメラ機能を有する情報端末であれば何でもよい。例えば、ＰＣ、モバイルツール、ＰＨＳ、ＰＤＡなどカメラ機能を有するものでもよい。
【００５５】
なお、以上の実施形態は、本質的に好ましい例示であって、本発明、その適用物や用途の範囲を制限することを意図するものではない。
【図面の簡単な説明】
【００５６】
【図１】本発明の実施形態１にかかる携帯電話機の開いた状態を表面側から見た斜視図である。
【図２】携帯電話機の閉じた状態を第１の筐体側から見た斜視図である。
【図３】携帯電話機の閉じた状態を第２の筐体側から見た斜視図である。
【図４】裏側キャビネット、基板及びカメラの分解斜視図である。
【図５】本案発明の実施形態１にかかるカメラ及びその周辺を示す斜視図である。
【図６】図５の側面図である。
【図７】延長部を接着した図６相当図である。
【図８】図７の背面図である。
【図９】本発明の実施形態２にかかる構成部品斜視図である。
【図１０】図９の側面図である。
【図１１】スポンジを貼り付けた図１０相当図である。
【図１２】図１１の背面図である。
【符号の説明】
【００５７】
１      携帯電話機（情報端末）
２１      回路基板
２２      コネクタ
２３      カメラ
２４      フレキシブル基板
２４ａ    延長部（弾性部材、嵌合補助手段）
２６      スポンジ（弾性部材、嵌合補助手段）
２７      印刷部（目印位置）
３０      マグネシウムフレーム
３１      カメラ装着用孔
【図１】
2008072635.tif 000003
【図２】
2008072635.tif 000004
【図３】
2008072635.tif 000005
【図４】
2008072635.tif 000006
【図５】
2008072635.tif 000007
【図６】
2008072635.tif 000008
【図７】
2008072635.tif 000009
【図８】
2008072635.tif 000010
【図９】
2008072635.tif 000011
【図１０】
2008072635.tif 000012
【図１１】
2008072635.tif 000013
【図１２】
2008072635.tif 000014